(57)【要約】【課題】便器／ビデなどに用いる乾燥機アセンブリを提供する。【解決手段】かかる乾燥機アセンブリは、乾燥部４０、送風機モジュール５０及びパイプモジュール７０を含み、そのうち、パイプモジュール７０は、分離可能な第一部分７２及び第二部分８２を含み、送風機モジュール５０と乾燥部４０との間の流体連通を提供する。パイプモジュール７０は軟管を使用せず、且つ第一部分７２と第二部分８２との間の適合面は傾斜であり、これにより、乾燥機の各部品の間に比較的緩めの組立公差を持たせる。【選択図】図２
2013510967.tif 000002
【特許請求の範囲】
【請求項１】
乾燥アセンブリであって、
乾燥部と、
送風機モジュールと、
分離可能な第一及び第二部分を有するパイプモジュールと、
を含み、
前記第一及び第二部分は、各自の第一及び第二適合面において互いに着脱可能に接続され、前記送風機モジュールと前記乾燥部との間の流体連通を提供する、乾燥アセンブリ。
【請求項２】
前記第一及び第二適合面は、傾斜である、請求項１に記載の乾燥アセンブリ。
【請求項３】
前記乾燥部は、ビデ棒（bidet  wand）である、請求項１に記載の乾燥アセンブリ。
【請求項４】
前記乾燥部は、弓形棒、請求項１に記載の乾燥アセンブリ。
【請求項５】
前記乾燥部は、さらに、液体噴射部を含む、請求項１に記載の乾燥アセンブリ。
【請求項６】
前記第一部分及び前記第二部分は、実質的に剛性である、請求項１に記載の乾燥アセンブリ。
【請求項７】
さらに、加熱ユニットを含む、請求項１に記載の乾燥アセンブリ。
【請求項８】
さらに、駆動装置を含み、
前記駆動装置は、前記第一及び第二部分のうちの少なくとも一つを、両部分が流体連通されるよう移動させ、或いは、両部分が流体連通されないよう移動させるために用いられる、請求項１に記載の乾燥アセンブリ。
【請求項９】
前記駆動装置は、手動操作装置である、請求項１に記載の乾燥アセンブリ。
【請求項１０】
前記駆動装置は、モータである、請求項１に記載の乾燥アセンブリ。
【請求項１１】
前記駆動装置は、アクチュエータである、請求項１に記載の乾燥アセンブリ。
【発明の詳細な説明】
【技術分野】
【０００１】
本発明は、総体的に乾燥機アセンブリに関し、該乾燥機アセンブリは、乾燥部、送風機モジュール、及びパイプモジュールを含み、パイプモジュールは、送風機モジュールと乾燥部との間の流体連通を選択的に許す。本発明は、特に、便器／ビデなどに用いる乾燥機アセンブリに関する。該乾燥機アセンブリは、システムの最小の磨損（wear）を有利に示し、乾燥部が伸び出し位置にある時に送風機モジュールから乾燥部への流体連通を許し、乾燥部が引っ込め位置にある時に送風機モジュールから乾燥部への流体連通を制限する。
【背景技術】
【０００２】
乾燥アセンブリが例えば柔軟性などの所要な特徴を有し、これにより、伸び出し位置に位置する時に乾燥部への流体連通を提供し、引っ込め位置に位置する時に乾燥部への流体連通を制限し、且つ送風設備と乾燥部との間にパイプを提供し、このパイプは乾燥部の重複の伸び出し及び引っ込めを受け入れることができる。このような乾燥設備は、魅力があっても、多くの面において改善する必要が依然としてある。例えば、分離可能な非軟管型（hoseless）パイプモジュールの提供が望ましい。このようなパイプモジュールは、乾燥部の伸び出し及び引っ込めに基づいて流体連通を選択的に許す又は制限することができる。また、パイプモジュールの各部品の間に傾斜の適合面（即ち、組み立て面。以下は、同じ。）を提供することにより、各部分の組み立て位置に最適な適合を提供することができる。即ち、乾燥設備に対して改良を行い、従来技術中の欠点を克服するニーズが存在する。
【０００３】
従来技術における方法は、米国特許No.  4,558,473を含む。この特許は、洗浄用の固定棒（wand）を有するビデ（bidet）システムに関する。暖かい空気を送るための独立した固定風路が固定棒に隣接する。ファンが空気を風路に送る。加熱ユニットが風路内に設置され、風路を通過してビデへ流れる空気を加熱するために用いられる。米国特許No.  5,960,484は、噴水管を含むトイレ設備を開示している。噴水管は、弧形の経路に沿って伸び出す及び引っ込める。この特許は、一つの実施例を開示しており、そのうち、ばねに接続される取っ手に手動で力を与えることにより噴水管を伸び出し、また、取っ手を放す時にばねのバイアスにより噴水管を引っ込めることができる。
【０００４】
米国特許No.  4,028,745は、水洗トイレの洗浄及び乾燥システムに関し、それは、液体噴射口に熱い水を提供し、また分離した空気導引口に空気を提供する。送風機は空気を管状部品に接続されるパイプラインを通過させる。昇降ロッドは管状部品にピボット接続され、液体噴射口及び空気導引口が収納位置と使用位置との間に回転できるようにさせる。この特許は、一つの実施例を開示しており、そのうち、送風機は空気を加熱するための加熱ユニットを有する。
【０００５】
他の従来技術は、以下を含む。中国特開No.  200710199074.2は、トイレシステムに適し、三つの分岐を有する熱空気管に関する。そのうち、一つの分岐は、便座を加熱し、第二の分岐は、トイレが所在する部屋を加熱し、第三の分岐は、便器鉢体（bowl）に導かれる。日本特願No.  2007-205141は、暖かい空気源に接続されるパイプを有する熱空気乾燥機を開示している。往復式乾燥ノズルは、使用位置に伸び出す、又は、収納位置に引っ込めることができる。乾燥ノズルは伸び出し位置にある時に、乾燥ノズルは、後部に、空気パイプに連通される開口を有し、乾燥ノズルは引っ込め位置にある時に、乾燥ノズルの後部の開口は、空気パイプと連通されない。
【０００６】
これにより、例えばこれらの特許又は特願などにおける従来技術の各種特徴は欠点又は／及び不良の特性、結果又は効果を有することが確定されている。本発明では、これらの問題に着目し、今までにない改良を提供する。要するに、本発明は、分離可能な非軟管型空気パイプモジュールの提供というニーズを全面的に満たすことができる。また、本発明は、空気パイプモジュールの分離可能な部品の間に傾斜の適合面を提供する。
【発明の概要】
【発明が解決しようとする課題】
【０００７】
本発明の目的は、便器／ビデなどに用いる乾燥機アセンブリを提供することにある。
【課題を解決するための手段】
【０００８】
本発明の一つの側面又は一つの実施例は、改良された乾燥機アセンブリに関し、それは、乾燥部、送風機モジュール、及びパイプモジュールを含む。本発明は、パイプモジュールの分離可能な部分を含み、各部分は、他の部分の適合面とミラーリングの適合面を有する。例えば、パイプモジュールは、各部分を組み立てる時に最適な流体連通を許し、各部分を分離する時に流体連通を制限することができる。
【０００９】
他の側面又は実施例によれば、送風機モジュールと乾燥部との間の接続は、非軟管式である。パイプモジュールの一部は、送風機モジュールに接続され、他の一部は、乾燥部に接続される。これらの分離可能な部分は、乾燥部が引っ込めることを許し、これにより、移動又は湾曲軟管を要しないので、例えば、操作の簡単化及び摩損の最小化を実現することができる。
【００１０】
もう一つの側面又は実施例では、各パイプ部分の適合面は傾斜的である。これらの傾斜の適合面は、組み立てる時に最小の力でパイプ部分を分離する又は組み立てることを実現し、同時に、パイプ部分のキャッチング（catching）又はハンギング（hanging）を最小限に減らすことができる。これらの傾斜の組み立てジョイントは、精確な位置合わせを要せず、乾燥部と送風機モジュールとの間の比較的にゆったりしている位置合わせ公差を許す。例えば、乾燥部は、少しの外れ又は緩めを有してもよく、これにより、乾燥部が伸び出す時に、パイプモジュールの各部分は、基本的な位置合わせを達成し、乾燥部への流体連通を提供する。
【００１１】
本発明の少なくとも一つの実施例の目的は、乾燥アセンブリを提供することにあり、それは、乾燥部、送風機モジュール及びパイプモジュールを含み、該パイプモジュールは、分離可能な第一及び第二部分を有し、該第一及び第二部分は、各自の第一及び第二適合面において着脱可能に接続され、これにより、送風機モジュールと乾燥部との間の流体連通を提供する。
【００１２】
本発明の一つの側面では、第一適合面及び第二適合面は、傾斜的である。本発明の他の側面では、乾燥部は、ビデ棒（bidet  wand）である。また、本発明のもう一つの側面では、乾燥部は、弧形の棒である。本発明のまたもう一つの側面では、乾燥部は、さらに、液体噴射部を含む。
【００１３】
本発明の一つの側面では、第一部分及び第二部分は実質的に剛性的である。本発明の他の側面では、加熱ユニットをさらに含む。本発明の一つの側面では、駆動装置をさらに含み、これにより、第一及び第二部分のうちの少なくとも一つを、両者が流体連通になるよう移動させ、又は、両者が流体連通にならないよう移動させる。本発明の一つの側面では、駆動装置は、手動操作による装置である。本発明の他の側面では、駆動装置は、モータである。また、本発明の更なる側面では、駆動装置はアクチュエータである。
【図面の簡単な説明】
【００１４】
【図１】ビデの透視図である。
【図２】乾燥機アセンブリの一つの実施例の上視図である。
【図３】図２に示す乾燥機アセンブリの一部の断面透視図である。
【図４】もう一つの乾燥機アセンブリの一部の断面透視図である。
【図５】図２に示す乾燥機アセンブリの一部の透視図である。
【図６】パイプモジュールの一部の透視図である。
【図７】パイプモジュールの他の部分の透視図である。
【図８】伸び出し位置に位置する図２の乾燥機アセンブリを含むビデの一部の側断面図である。
【図８Ａ】乾燥機アセンブリの他の実施例を含むビデの一部の側断面図である。
【図９】引っ込め位置に位置する図２の乾燥機アセンブリを含むビデの一部の側断面図である。
【図１０】もう一つの乾燥機アセンブリの一部の断面透視図である。
【図１１】またもう一つの乾燥機アセンブリの一部の断面透視図である。
【発明を実施するための形態】
【００１５】
要求に基づいて、ここで本発明の詳細な実施例を記述するが、理解すべきは、ここで開示の実施例は本発明の模範的な例だけであり、本発明は各種の形式で実施され得る。よって、ここで開示の具体的な細部は、限定と解釈され得ず、請求の範囲の基礎とされ、且つ、当業者が任意の適切な方式で本発明を多様に実施できることを示す代表的な基礎とされ得る。
【００１６】
図１は、ビデ２０を例示する。図２は、乾燥アセンブリの実施例を例示し、それは、総体的に３０により表される。乾燥アセンブリ３０は、乾燥部４０、送風機モジュール５０及びパイプモジュール７０を含む。乾燥部４０は、第一位置と第二位置との間に移動することができる。例えば、乾燥部４０は、ビデ棒（Ｗａｎｄ）であってもよく、それは、伸び出し位置及び引っ込め位置を有する。選択可能に、乾燥部４０は、例えば、固定位置及び複数の伸び出し位置を有してもよい。乾燥部４０の一部は、入口４２を定義し、他の部分は、出口４４を定義する。乾燥アセンブリ３０は、操作時に、入口４２及び出口４４の間に流体連通を生成する。例えば、空気は、入口４２から出口４４へ流れ、使用者身体の所定の部位を乾燥することができる。
【００１７】
図３は、送風機モジュール５０を示す。示されている実施例では、送風機モジュール５０は、送風機筐体５２及び内部気体源例えば送風機５４を含む。選択可能に、送風モジュール５０は、例えば他の装置に用いる加熱管又は送風機等外部源からの流体連通を許す通路であってもよい。送風機５４は、工業標準に符合する任意の気体移動装置例えばファン又はタービンであってもよい。示されている実施例では、送風機５４は、気体移動を生成し、これにより、空気は、送風機出口５８から流れ出す。図４に示すように、乾燥アセンブリ３０は、選択可能に、加熱ユニット５６を含んでもよい。加熱ユニット５６は、工業標準に符合する任意の加熱装置例えば加熱コイルであってもよい。気体は、駆使されて送風機出口５０を通過し、また加熱ユニット５６を流れた後に、暖かくなる。
【００１８】
図５は、パイプモジュール７０を示す。パイプモジュール７０は、第一部分７２及び第二部分８２を含む。第一部分７２は、入口４２において、例えばネジ、ボルト、ニップル、タブ（tab）、粘着剤又は摩擦適合（friction  fit）等の任意の、工業標準に符合する接続方式で、乾燥部４０に接続される。選択可能に、第一部分７２は、第一部分７２と乾燥部４０との間の部品に接続されてもよい。示されている実施例では、第一部分７２は、タブ７１により、乾燥部４０に接続され、該タブ７１は、乾燥部４０上のタブソケット４６に取り付けられる。第一部分７２は、第一筐体７４を有する。第一筐体７４中の第一開口７６のサイズ及び形状は、入口４２と適合するように設置され、これにより、入口４２への流体連通を提供する。第一部分７７のサイズ及び形状は、入口４２内に取り付けられ且つ少なくとも一つのタブ７１を含むように設置される。第一筐体７１中の第二開口７８のサイズ及び形状は、第二部分８２と適合するように設置される。第一開口７６及び第二開口７８は、任意の所望の断面形状例えば矩形、円形又は卵形を有してもよい。示されている実施例では、第一開口７６は、ほぼ卵形の断面を有し、第二開口７８は、矩形の断面を有する。第一適合面８０は、第二開口７８の最外周辺表面により定義される。第一適合面８０は、第一筐体７４の最外周辺表面例えばワッシャー又は塗布材料であってもよい。第一適合面８０の第一点７３から乾燥部４０の中心軸線ｘまでの距離は、ｄ１である。第一適合面８０の第二点７５から乾燥部４０の中心軸線ｘまでの距離は、ｄ２である。第一距離ｄ１は、第二距離に等しい、又は、それより小さい、又はそれより大きい。示されている実施例では、第一距離ｄ１は、第二距離より小さく、これにより、第一適合面８０は、傾斜し、中心軸線ｘから離れる。
【００１９】
第二部分８２は、送風機出口５８において、例えばネジ、ボルト、ニップル、タブ（tab）、粘着剤又は摩擦適合（friction  fit）等の任意の、工業標準に符合する接続方式で、送風機モジュール５０に接続される。選択可能に、第二部分８２は、第二部分８２と送風モジュール５０との間の部品に接続される。第二部分８２は、第二筐体８４を有する。第二筐体８４中の第三開口８６のサイズ及び形状は、送風機出口５８と適合するように設置され、これにより、送風機モジュール５０から第二部分８２への流体連通を提供する。第二筐体８４中の第四開口８８のサイズ及び形状は、第一部分と適合するように設置される。第三開口８６及び第四開口８８は、任意の所望の断面形状例えば矩形、円形及び卵形を有してもよい。示されている実施例では、第三開口８６及び第四開口８８は、矩形の断面を有する。第二適合面９０は、第四開口８８の最外周辺表面により確定される。第二適合面９０は、第二筐体８４の最外周辺表面例えばワッシャー又は塗布材料であってもよい。第二適合面９０のサイズ及び形状は、第一適合面８０と適合するよう設置される。示されている実施例では、第二適合表面９０は、傾斜し、第一適合面８０とミラーリングの関係をなし、これにより、第一部分７２と第二部分８２とは接続される時に最適な組み立てを提供することができる。
【００２０】
図８に示す実施例では、第一部分７２は、駆動装置例えばモータ、アクチュエータ、又は手動操作装置に接続され、且つ第二部分８２は、固定される。手動操作装置は、クランク、制御ロッド又は取っ手などであってもよい。図１０は、例えば駆動装置２５としての回転ロッドを有するビデを示す。選択可能に、第二部分８２は、駆動装置２５に接続され、且つ第一部分７２は固定され、或いは、第一部分７２及び第二部分８２は、ともに固定され、或いは、第一部分７２及び第二部分８２は、ともに駆動装置２５に接続されてもよい。図８に示すように、乾燥部４０は、駆動装置２５に接続され、且つ乾燥部４０は、完全な伸び出し位置に位置する。選択可能に、乾燥部４０は、固定されてもよい。乾燥部４０は、図８Ａに示すように、さらに、噴射部４８を含む。噴射部４８は、例えば、使用者身体の所定の部位に噴水するために用いられる。
【００２１】
図９は、完全な引っ込め位置に位置する乾燥部４０及び第一部分７２を示す。示されている実施例では、操作によって、引っ込め位置において、第一部分７２を第二部分８２から分離させ、これにより、第一部分７２は、第二部分８２を経由せずに、送風機モジュール５０からの任意の気流を受ける。気流が第一部分７２に流れるのを阻止することにより、気流が乾燥部４０及び出口４４を流れるのを阻止することができる。例えば、使用者（図示せず）は乾燥部４０からの気流を有するように希望する時に、使用者は、駆動装置２５を起動し、乾燥部４０を図８に示す伸び出し位置に移動させる。第一適合面８０及び第二適合面９０は組み立てられ、これにより、気体は、パイプモジュール７０を通過し、送風機モジュール５０から乾燥部４０へ流れることができる。選択可能に、送風モジュール５０は、気流を反転させることができ、これにより、気体は、パイプモジュール７０を通過し乾燥部４０から送風機モジュール５０に流れることができる。反転気流は、空気を使用して吸入又は真空の効果を生成することができる。
【００２２】
第一部分７２及び第二部分８２は完全に組み立てられなくても、気流は、導かれて出口４４を通過することもできる。例えば、乾燥部４０は完全に伸び出せず、又は、第一部分７２及び第二部分８２のうちの一つ又は二つは完全な位置合わせになっていない場合、第一部分７２及び第二部分８２は部分的に組み立てられたら、若干の気流は、依然としてパイプモジュール７０を流れることができ、これにより、両部分がぴったり合うまでに、ビデの乾燥特性を継続して使用することができる。
【００２３】
図１０は、総体的に、１３０が付けられる乾燥アセンブリを示し、それは、手動操作装置である駆動装置１２５を有する。駆動装置１２５は、第一又は第二部分７２、８２中の少なくとも一つに接続されるピボットアームである。駆動装置１２５は、一つの方向に手動で回転することにより、第一及び第二部分７２、８２を、適合する位置に移動させることができる。また、駆動モジュールは、相反の方向に手動で回転することにより、第一及び第二部分７２、８２を、適合しない位置に移動させることができる。
【００２４】
図１１は、総体的に、２３０が付けられる乾燥アセンブリを示し、それは、アクチュエータである駆動装置２２５を有する。駆動装置２２５は、一つの方向に作動されて、第一及び第二部分７２、８２を、適合する位置に移動させることができる。また、駆動装置２２５は、相反の方向に作動されて、第一及び第二部分７２、８２を、適合しない位置に移動させることができる。
【図１】
2013510967.tif 000003
【図２】
2013510967.tif 000004
【図３】
2013510967.tif 000005
【図４】
2013510967.tif 000006
【図５】
2013510967.tif 000007
【図６】
2013510967.tif 000008
【図７】
2013510967.tif 000009
【図８】
2013510967.tif 000010
【図８Ａ】
2013510967.tif 000011
【図９】
2013510967.tif 000012
【図１０】
2013510967.tif 000013
【図１１】
2013510967.tif 000014
【国際調査報告】
2013510967.tif 000015
2013510967.tif 000016
2013510967.tif 000017
2013510967.tif 000018